(57)【要約】【課題】メモ代り撮影した画像（ピクチャメモ）をメモリに登録し再生する場合、操作性の簡素化を図る。【解決手段】ピクチャメモ用メモリ８への最初の画像登録時に、ＣＰＵ４により、ピクチャメモアイコンを作成表示する。以降の画像登録は、ユーザの特別な操作を必要としない。登録画像呼出し時には、待受画面上のピクチャメモアイコンを選択することで、最初の登録画像が待受画面上に表示される。この表示画像以外に、ユーザが必要な画像を見たい場合には、カーソルキーを操作することにより、順次登録画像が待受画面上に表示されるので、希望する画像を容易に抽出することができる。【選択図】　　　図１
2004129060.tif 000002
【特許請求の範囲】
【請求項１】
カメラ及び表示部を有する携帯電話機であって、
前記カメラによる撮影画像を登録するメモリと、
前記撮影画像の前記メモリへの最初の登録時に、画像が登録されていることを示すためのアイコンを作成して前記表示部へ表示すると共に、以後の撮影画像は前記アイコンに関連するものとして前記メモリへ登録する登録制御手段と、
を含むことを特徴とする携帯電話機。
【請求項２】
前記アイコンを前記表示部の待受画面に表示するよう制御する表示制御手段を、更に含むことを特徴とする請求項１記載の携帯電話機。
【請求項３】
前記待受画面の前記アイコンの選択操作に応答して、前記メモリに登録されている画像の一つを呼び出して前記待受画面上に表示する呼び出し制御手段を、更に含むことを特徴とする請求項２記載の携帯電話機。
【請求項４】
前記呼び出し制御手段は、前記表示部におけるカーソル操作に従って、前記メモリに登録されている他の画像を順次呼び出して前記待受画面上に表示するようにしたことを特徴とする請求項３記載の携帯電話機。
【請求項５】
前記メモリへの登録画像のサイズは、前記待受画面の画像サイズと同等であることを特徴とする請求項２〜４いずれか記載の携帯電話機。
【請求項６】
前記メモリは、固定容量であることを特徴とする請求項１〜５いずれか記載の携帯電話機。
【請求項７】
前記メモリへの登録量が当該メモリの最大登録量に達した時に警告を発生する手段を、更に含むことを特徴とする請求項１〜６いずれか記載の携帯電話機。
【請求項８】
カメラ及び表示部を有する携帯電話機の動作制御方法であって、
前記カメラによる撮影画像のメモリへの最初の登録時に、画像が登録されていることを示すためのアイコンを作成して前記表示部へ表示すると共に、以後の撮影画像は前記アイコンに関連するものとして前記メモリへ登録する登録制御ステップ、
を含むことを特徴とする動作制御方法。
【請求項９】
前記アイコンを前記表示部の待受画面に表示するよう制御する表示制御ステップを、更に含むことを特徴とする請求項８記載の動作制御方法。
【請求項１０】
前記待受画面の前記アイコンの選択操作に応答して、前記メモリに登録されている画像の一つを呼び出して前記待受画面上に表示する呼び出し制御ステップを、更に含むことを特徴とする請求項９記載の動作制御方法。
【請求項１１】
前記呼び出し制御ステップは、前記表示部におけるカーソル操作に従って、前記メモリに登録されている他の画像を順次呼び出して前記待受画面上に表示するようにしたことを特徴とする請求項１０記載の動作制御方法。
【請求項１２】
前記メモリへの登録画像のサイズは、前記待受画面の画
像サイズと同等であることを特徴とする請求項９〜１１いずれか記載の動作制御方法。
【請求項１３】
前記メモリへの登録量が当該メモリの最大登録量に達した時に警告を発生するステップを、更に含むことを特徴とする請求項８〜１２いずれか記載の動作制御方法。
【請求項１４】
カメラ及び表示部を有する携帯電話機の動作制御方法をコンピュータにより実行させるためのプログラムであって、
前記カメラによる撮影画像のメモリへの最初の登録時に、画像が登録されていることを示すためのアイコンを作成して前記表示部へ表示すると共に、以後の撮影画像は前記アイコンに関連するものとして前記メモリへ登録する登録制御ステップ、
を含むことを特徴とするコンピュータ読取り可能なプログラム。
【請求項１５】
前記アイコンを前記表示部の待受画面に表示するよう制御する表示制御ステップを、更に含むことを特徴とする請求項１４記載のプログラム。
【請求項１６】
前記待受画面の前記アイコンの選択操作に応答して、前記メモリに登録されている画像の一つを呼び出して前記待受画面上に表示する呼び出し制御ステップを、更に含むことを特徴とする請求項１５記載のプログラム。
【請求項１７】
前記呼び出し制御ステップは、前記表示部におけるカーソル操作に従って、前記メモリに登録されている他の画像を順次呼び出して前記待受画面上に表示するようにしたことを特徴とする請求項１６記載のプログラム。
【請求項１８】
前記メモリへの登録量が当該メモリの最大登録量に達した時に警告を発生するステップを、更に含むことを特徴とする請求項１４〜１７いずれか記載のプログラム。
【発明の詳細な説明】
【０００１】
【発明の属する技術分野】
本発明は携帯電話機及びその動作制御方法に関し、特にカメラを搭載して画像を撮影する機能を有する携帯電話機及びその動作制御方法に関するものである。
【０００２】
【従来の技術】
最近の携帯電話機には、カメラを搭載して画像を撮影し、この撮影された画像を処理してアルバムとして保存したり、電子メールに添付して相手に送信したりする機能がある。この様な画像処理機能の一つの使い方として、例えば、撮影画像をメモ帳代りに用いることが考えられる。すなわち、バスや電車、更には地下鉄等の公共交通機関の時刻表を、バス停や駅において、携帯電話のカメラで撮影してメモ代りに保存しておき、後で必要に応じてこれを読出して確認するという使い方が考えられる。
【０００３】
この場合、交通機関の時刻表全体を、携帯電話機のカメラで一度に撮影することは不可能であり、一枚の時刻表を複数回に分けて撮影し、複数枚の画像として保存することになる。特に、上述した時刻表は、平日のものと、日曜及び祝祭日のものとが存在するために、両方の時刻表が必要な場合には、撮影画像の枚数は更に増大することになる。
【０００４】
これ等複数の撮影画像をメモリに保存して登録する必要があるが、各画像毎に、撮影操作と登録操作とが必要である。また、複数枚に分割して登録されている画像を見る場合には、１枚毎に登録画像を呼び出す操作が必要である（例えば、非特許文献１参照）。
【０００５】
【非特許文献１】
２００１年１２月、Ｊ−フォン株式会社発行、Ｊ−ＳＨ０８取扱説明書、基本操作編、第５０〜５３頁
【０００６】
【発明が解決しようとする課題】
上述した様な時刻表等を、メモ代りに撮影してメモリに登録して、後でそれを確認したり見たりする場合には、画像を複数枚に分割せざるを得ないために、登録操作及び呼出し操作が煩雑になるという問題がある。また、複数枚の登録画像のうち、ユーザが希望する一つの画像のみを抽出して見たい場合、例えば上記の時刻表では、ある時間帯のもののみを見たい場合、どの登録画像が自分の見たいものかを判断することが困難であり、よって所望の画像が得られるまで、呼出し操作を繰返えさなければならないという問題もある。更に、携帯電話の内蔵メモリの高容量化、外部拡張メモリの増設により、検索対象である画像枚数が増大しており、よって呼出し操作回数がそれに伴って増加するという問題もある。
【０００７】
上述した複数枚の画像をメモリに登録する場合、各登録画像に対して、インデックス用のアイコン（絵文字）をそれぞれ対応づけておき、このアイコンを表示画面の上部や下部に表示するようにし、ユーザが見たい画像を選択的に呼び出し表示させる場合には、対応するアイコンを選択操作するような方法が考えられる。しかしながら、この様な方法では登録画像毎にアイコンが必要となり、制御部（ＣＰＵ）の負荷が増大すると共に、アイコンの表示画面上での表示数には制限があるために、登録画像の枚数もそれに伴って制限されるという欠点がある。
【０００８】
本発明の目的は、メモ代りに撮影した画像の登録や呼出し操作を極めて簡単化し、ユーザに負担をかけることがないようにした携帯電話機及びその動作制御方法を提供することである。
【０００９】
本発明の他の目的は、複数枚の登録画像のうち所望の１枚を選択して見たい場合に、極めて簡単な操作でそれを可能とする携帯電話機及びその動作制御方法を提供することである。
【００１０】
本発明の更に他の目的は、単一のアイコンのみで複数の撮影画像を登録可能とし、登録画像の数に比例してアイコンの数が増大しないようにした携帯電話機及びその動作制御方法を提供することである。
【００１１】
【課題を解決するための手段】
本発明による携帯電話機は、カメラ及び表示部を有する携帯電話機であって、前記カメラによる撮影画像を登録するメモリと、前記撮影画像の前記メモリへの最初の登録時に、画像が登録されていることを示すためのアイコンを作成して前記表示部へ表示すると共に、以後の撮影画像は前記アイコンに関連するものとして前記メモリへ登録する登録制御手段とを含むことを特徴とする。
【００１２】
更に、前記アイコンを前記表示部の待受画面に表示するよう制御する表示制御手段を含むことを特徴とする。更にはまた、前記待受画面の前記アイコンの選択操作に応答して、前記メモリに登録されている画像の一つを呼び出して前記待受画面上に表示する呼び出し制御手段を含むことを特徴とする。
【００１３】
そして、前記呼び出し制御手段は、前記表示部におけるカーソル操作に従って、前記メモリに登録されている他の画像を順次呼び出して前記待受画面上に表示するようにしたことを特徴とする。また、前記メモリへの登録画像のサイズは、前記待受画面の画像サイズと同等であることを特徴とし、前記メモリは固定容量であることを特徴とする。また、前記メモリへの登録量が当該メモリの最大登録量に達した時に警告を発生する手段を、更に含むことを特徴とする。
【００１４】
本発明による動作制御方法は、カメラ及び表示部を有する携帯電話機の動作制御方法であって、前記カメラによる撮影画像のメモリへの最初の登録時に、画像が登録されていることを示すためのアイコンを作成して前記表示部へ表示すると共に、以後の撮影画像は前記アイコンに関連するものとして前記メモリへ登録する登録制御ステップを含むことを特徴とする。
【００１５】
更に、前記アイコンを前記表示部の待受画面に表示するよう制御する表示制御ステップを含むことを特徴とする。更にはまた、前記待受画面の前記アイコンの選択操作に応答して、前記メモリに登録されている画像の一つを呼び出して前記待受画面上に表示する呼び出し制御ステップを含むことを特徴とする。
【００１６】
そして、前記呼び出し制御ステップは、前記表示部におけるカーソル操作に従って、前記メモリに登録されている他の画像を順次呼び出して前記待受画面上に表示するようにしたことを特徴とする。また、前記メモリへの登録画像のサイズは、前記待受画面の画像サイズと同等であることを特徴とする。また、前記メモリへの登録量が当該メモリの最大登録量に達した時に警告を発生するステップを、更に含むことを特徴とする。
【００１７】
本発明によるプログラムは、カメラ及び表示部を有する携帯電話機の動作制御方法をコンピュータにより実行させるためのプログラムであって、前記カメラによる撮影画像のメモリへの最初の登録時に、画像が登録されていることを示すためのアイコンを作成して前記表示部へ表示すると共に、以後の撮影画像は前記アイコンに関連するものとして前記メモリへ登録する登録制御ステップを含むことを特徴とする。
【００１８】
本発明の作用を述べる。カメラによる撮影画像をメモ代りに用いるいわゆるピクチャメモ機能において、ピクチャメモ用メモリを設け、ピクチャメモのための画像をこのメモリに登録するに際して、最初の登録時にのみ、自動的にピクチャメモアイコンを作成してデスクトップアイコンとして表示し、以降のピクチャメモ登録時には、アイコン作成を行うことなく、当該アイコンに関連するものとして、順次画像を当該メモリへ登録する。よって、簡単にピクチャメモの登録が可能である。
【００１９】
また、ピクチャメモ呼出し時には、待受画面におけるデスクトップアイコンのうちピクチャメモアイコンを選択することにより、一つのピクチャメモが呼出されて待受画面上に表示される。ユーザが希望するピクチャメモを選択したい場合は、カーソルキー操作により登録されている他のピクチャメモを順次表示するようにすることで、希望のピクチャメモが、簡単に選択できることになる。
【００２０】
【発明の実施の形態】
以下に、図面を参照しつつ本発明の実施の形態について詳述する。図１は本発明の実施の形態における携帯電話機の概略機能ブロック図である。図１を参照すると、操作部１は各種の操作キーが配列されたキー操作部であり、表示部２はＬＣＤ（液晶表示装置）からなり、メインのＬＣＤとサブ（背面）のＬＣＤとを有しており、メインＬＣＤはユーザと対向する位置に設けられ、サブＬＣＤはこのメインＬＣＤの背面位置に設けられている。表示制御部３はこれ等メインＬＣＤとサブＬＣＤからなる表示部２の表示制御を行う。
【００２１】
制御部４はＣＰＵであり、図１に示す各部の制御を行うものであって、ＲＯＭ１２に格納されているプログラム手順に従って動作し各部制御をなす。カメラ５はサブＬＣＤと同一面に取付けられており、カメラ制御部６により制御される。
無線部７は図示せぬ基地局との間の無線通信を行う機能を有している。これ等各部はバス１３により相互接続されている。
【００２２】
図１において、バス１３より下側に示されているメモリ８〜１２は記憶媒体であって、ピクチャメモ用メモリ８は本発明において用いられるメモリであり後述する。アルバム用メモリ９はカメラ５により撮影された画像をアルバム用として保存するためのメモリであり、待受用メモリ１０は待受画面用のメモリである。
作業用メモリ１１はＣＰＵ４の処理時において用いられるワークメモリである。
なお、ＲＯＭ１２は、前述した如く、ＣＰＵ４を動作させるためのプログラムを格納した読出し専用のメモリである。これ等メモリ８〜１２もバス１３に接続されている。
【００２３】
図１において、ピクチャメモ用メモリ８は、カメラ５による撮影画像をメモ代りに登録しておくときに用いられるメモリであり、通常のアルバム用メモリ９とは区別して設けられている。このピクチャメモ用メモリ８はピクチャメモ機能が選択されたときに有効となり、撮影画像を登録するもので、このメモリ８の撮影画像のサイズは待受画面（待受用メモリ１０に登録されている）のサイズと同一であり、ズーム固定となっているものとする。なお、待受画面は一定サイズであり、よって待受用メモリ１０は固定容量となっている。またアルバム用メモリ９の撮影画像のサイズは複数種類あり、ズーム可変となっていることは従来どおりである。
【００２４】
図２，３は本発明の実施の形態におけるピクチャメモ機能選択時の動作を示すフローチャートである。表示部２にメニューが表示されている状態において（ステップＳ１）、ユーザが“カメラ”を選択すると（ステップＳ２）、それに応答してサブメニューの表示がなされる（ステップＳ４）。なお、ステップＳ２において、“カメラ”以外の選択がなされた場合には、選択された処理へ進むことになる（ステップＳ３）。
【００２５】
このサブメニュー表示状態において、ユーザが“ピクチャメモ”を選択すると（ステップＳ５）、それに応答してデスクトップアイコンが既に８件登録されているかどうかが判定される（ステップＳ７）。デスクトップアイコンとは、図４に示す表示部２の表示例に示す如く、表示画像部２１の下部に表示される各種アイコン２２のことであり、表示部２における制約から、例えば、最大８件のアイコンが登録可能であるために、既登録済みアイコンが８件存在すれば、ピクチャメモ用アイコンの新規登録が不可能であり、よってステップＳ７の判定を行うようになっている。ステップＳ７において、肯定（Ｙ）の判定がなされれば、「デスクトップが一杯です。アイコンの貼り付けができません。」等の警告を表示する（ステップＳ９）。なお、ステップＳ５において、”ピクチャメモ”以外の選択がなされた場合には、選択された処理、例えば通常の撮影等の処理へ進む（ステップＳ６）。
【００２６】
それと同時に、ピクチャメモ用メモリ８における既登録済み画像が１０枚かどうかが判定される（ステップＳ８）。ピクチャメモ用メモリ８には、そのメモリ容量の制約から、例えば、最大１０枚の画像が登録可能であるために、当該ステップＳ８の判定がなされるようになっている。この判定が肯定（Ｙ）であれば、「ピクチャメモが一杯です。登録できません。」等の警告を表示する（ステップＳ９）。なお、ステップＳ７及びＳ８において、共に肯定（Ｙ）の判定がなされたときには、ピクチャメモが一杯である旨の警告を、先に表示するものとする。
【００２７】
ステップＳ７、Ｓ８において共に否定（Ｎ）の判定がなされると、ピクチャメモ撮影時のカメラビューモードへ遷移し（ステップＳ１０）、画像サイズが待受画サイズに固定される（ステップＳ１１）。そして、背面に設けられているサブＬＣＤのファインダ切替えが停止される（ステップＳ１２）。その理由は、ピクチャメモ機能時には、背面のサブＬＣＤと同一面に取付けられているカメラを、被写体である、例えば時刻表等に向けて撮影し、そのときのファインダとして、メインＬＣＤである図４の表示部２の表示部画像部２１がその機能を果すようにしているからである。
【００２８】
次に、ピクチャメモが（ピクチャメモ用メモリ８に）既に登録されているかどうかが判定される（ステップＳ１３）。登録されていなければ、カメラ撮影がなされることになる（ステップＳ１４）。この撮影画像はピクチャメモ用メモリ８へ登録される（ステップＳ１５）。このとき、ピクチャメモ用メモリへの登録（ピクチャメモ登録）は始めてであるために、この時点において、ピクチャメモアイコン（タイトルはピクチャメモ）が自動的に作成され、図４の表示画像部２１の下部のアイコン２２に追加貼付け表示される（ステップＳ１６）。
【００２９】
このピクチャメモアイコンは、ピクチャメモリ用メモリ８にピクチャメモが登録されていることを示すためのアイコンであって、以降のピクチャメモの登録時には、アイコン作成は行われず、当該メモリ８の容量により定まるピクチャメモ登録可能枚数までの登録には、最初のピクチャメモ登録時に作成されたピクチャメモアイコンが使用されることになる。よって、このピクチャメモアイコンにより、最大１０枚までのピクチャメモがこのアイコンに関連するものとして、メモリ８内に登録されることになる。
【００３０】
ピクチャメモ登録可能枚数は最大１０枚であるので、その登録枚数のチェックが行われ（ステップＳ１７）、１０枚に達するまでは、ピクチャメモ終了の操作がない限り（ステップＳ１８）、次のピクチャメモ撮影及び登録処理が続行されることになる（ステップＳ２０，Ｓ２１，Ｓ１７等の処理）。
【００３１】
上述したステップＳ１３において、ピクチャメモ登録が既に行われていれば、前述した如く、以前に作成されているピクチャメモアイコン（ステップＳ１６）がそのまま用いられて表示される（ステップＳ１９）。以降は、ステップＳ２０，Ｓ２１の処理が行われ、ピクチャメモ登録枚数が最大値１０枚を超えれば、「ピクチャメモが一杯です。登録できません。」等の警告表示を行う（ステップＳ２２）。
【００３２】
この様にして登録されているピクチャメモを呼び出して見る場合の動作が、図５のフローチャートに示されている。図５を参照すると、待受画面表示中に（ステップＳ３１）、図４の表示画像部２１の下部に貼り付けられているアイコン２２のうち、ピクチャメモアイコンをユーザが選択すると（ステップＳ３２）、これに応答してピクチャメモ用メモリ８から１枚目のピクチャメモである画像が呼出されて、待受画面の表示画像部２１（図４参照）上に、重ねて表示される（ステップＳ３３）。
【００３３】
ユーザが希望するピクチャメモを探す場合には、操作部１のキーのうちカーソルキー（上下左右の矢印のついたキー）を操作することにより、ピクチャメモ用メモリ８内に登録されているピクチャメモに対応する画像が、当該カーソルに応じて次々に待受画面上に表示される（ステップＳ３５）。ユーザが希望するピクチャメモが表示されたときに、カーソル操作を停止すれば、所望のピクチャメモが待受画面上に表示されることになる。クリア操作に応答して（ステップＳ３６）、待受画面に戻り（ステップＳ３７）、処理終了となる。
【００３４】
なお、ピクチャメモ用メモリ内の画像を削除することにより、ピクチャメモ撮影時のカメラビューモード（ステップＳ１０）へ遷移するようになっているものとする。
【００３５】
上述した如く、カメラによる撮影画像をメモ代りに用いるピクチャメモ機能において、ピクチャメモ用メモリを設け、ピクチャメモのための画像を当該ピクチャメモ用メモリに登録するに際して、最初の登録時に、自動的にピクチャメモ用アイコンを作成してデスクトップアイコンとして表示し、以降のピクチャメモ登録時は、アイコン作成を行うことなく、当該アイコンに関連するものとして、順次画像をピクチャメモ用メモリへ登録するようにしている。そのために、ピクチャメモ登録時におけるＣＰＵの負荷の増大もなく、またユーザの操作も極めて簡単となる。
【００３６】
また、ピクチャメモの呼出し時には、待受画面におけるデスクトップアイコンのうちピクチャメモアイコンを操作すると、この待受画面上に、１つのピクチャメモの登録画像が表示されることになり、以降ユーザが希望するピクチャメモを見たい場合には、カーソルキーを用いて順次登録画像を呼出すようにしている。
そのために、ピクチャメモ呼出し時のユーザの操作も極めて簡単化されるのである。更に、アルバム用メモリ９とは別にピクチャ用メモリ８を設けることで、アルバム用メモリ９の使用状況にかかわらず、ピクチャメモの撮影が可能となり、これによりピクチャメモ用メモリ８の容量を固定化することができ、アルバム用メモリ９との間で、使用するメモリ領域を、動的に調整するという処理が不要になる。
【００３７】
なお、上記の実施の形態においては、ピクチャメモ用メモリ８の登録画像最大枚数を１０とし、デスクトップアイコンの張付け最大個数を８としているが、これ等数値は単に一例を示したものであって、適宜選定可能である。また、ピクチャ用メモリ８とアルバム用メモリ９とを、互いに独立して設ける様に、図１では示しているが、これ等は同一のメモリにおいて、領域を使い分けて用いても良いものであり、待受用メモリ１０についても同様である。更に、ピクチャメモアイコンを選択した場合のメモリ８からの呼出し画像は、最初に登録された１枚目に限らず、他の画像でも良い。
【００３８】
図２、図３及び図５に示したフローは、予めＲＯＭ１２にプログラムとして記録しておき、これをＣＰＵ４により読取って実行するようにすることができることは明らかである。
【００３９】
【発明の効果】
本発明による第一の効果は、メモ代りに撮影した画像（ピクチャメモ）の登録操作が簡単であり、かつＣＰＵの負荷も軽減できるということである。その理由は、最初の画像登録時にのみ、自動的にピクチャメモアイコンを作成表示し、以降の画像登録時には、アイコン作成を行うことなく、また、特別な登録操作をユーザに要求しないためである。
【００４０】
本発明による第二の効果は、登録されたピクチャメモの呼出し操作や、複数のピクチャメモから所望のものを抽出する操作が極めて簡単化されるということである。その理由は、待受画面上のデスクトップアイコンのうちピクチャメモアイコンを選択するのみで、待受画面上にそのまま１枚目のピクチャメモが呼出し表示され、また、所望のピクチャメモを抽出するには、カーソルキーを操作するだけで良いからである。
【００４１】
本発明による第三の効果は、デスクトップアイコンの数を増大させることなく、複数枚のピクチャメモが登録できるということである。その理由は、単一アイコンのみで、複数枚のピクチャメモを登録可能としたためである。
【図面の簡単な説明】
【図１】本発明の実施の形態を示す機能ブロック図である。
【図２】本発明の実施の形態におけるピクチャメモ登録時の動作を示すフローチャートである。
【図３】本発明の実施の形態におけるピクチャメモ登録時の動作を示すフローチャートである。
【図４】携帯電話機における表示部の表示例を示す図である。
【図５】本発明の実施の形態におけるピクチャメモ呼出時の動作を示すフローチャートである。
【符号の説明】
１　　　　操作部
２　　　　表示部
３　　　　表示制御部
４　　　　制御部（ＣＰＵ）
５　　　　カメラ
６　　　　カメラ制御部
７　　　　無線部
８　　　　ピクチャメモ用メモリ
９　　　　アルバム用メモリ
１０　　　待受用メモリ
１１　　　作業用メモリ
１２　　　ＲＯＭ
１３　　　バス
【図１】
2004129060.tif 000003
【図２】
2004129060.tif 000004
【図３】
2004129060.tif 000005
【図４】
2004129060.tif 000006
【図５】
2004129060.tif 000007